(57)【要約】      （修正有）【課題】電動モータを使用し、簡単な構造で強力な振動を発生させることが可能なマッサージ器を提供する。【解決手段】この強振動マッサージ器は、筐体１０と、該筐体内に収められた電動モータ２と、該電動モータの回転軸２０に偏心状態で取り付けられた重錘２１，２２とから成るマッサージ器であり、前記回転軸は前記電動モータの両側に突出するように設けられており、この各々に前記重錘が取り付けられていることを特徴とするものである。なお筐体の少なくとも電動モータが納められている部位が透視可能に構成されているものでは、電動モータの両側に重錘が取り付けられている状態を外から見ることが出来る。【選択図】図１
0003173934.tif 000002
【実用新案登録請求の範囲】
【請求項１】
筐体と、該筐体内に収められた電動モータと、該電動モータの回転軸に偏心状態で取り付けられた重錘とから成るマッサージ器に於いて、前記回転軸は前記電動モータの両側に突出するように設けられており、この各々に前記重錘が取り付けられていることを特徴とする、強振動マッサージ器。
【請求項２】
前記筐体は振動側筐体とハンドル側筐体とに分かれており、振動側筐体とハンドル側筐体とは接続部を介して接続されており、前記電動モータは前記振動側筐体内に納められている、請求項１に記載の強振動マッサージ器。
【請求項３】
前記振動側筐体と前記ハンドル側筐体とが前記接続部としてのコイルバネで接続されている、請求項２に記載の強振動マッサージ器。
【請求項４】
前記振動側筐体と前記ハンドル側筐体とが前記接続部としての蛇腹で接続されている、請求項２に記載の強振動マッサージ器。
【請求項５】
両側の前記重錘は、前記回転軸に対する偏心状態がほぼ同一となるように前記回転軸に取り付けられている、請求項１または請求項２に記載の強振動マッサージ器。
【請求項６】
両側の前記重錘は、一方が他方よりも重くなるように設けられている、請求項１または請求項２に記載の強振動マッサージ器。
【考案の詳細な説明】
【技術分野】
【０００１】  この考案は簡単な構造で強力な振動を発生させることが可能なマッサージ器に関する。
【背景技術】
【０００２】  電動モータの回転軸に重錘を偏心状態で取り付けて電動モータを回転駆動させ、振動を発生させて身体患部のマッサージに用いるマッサージ器が各種提案されている。その一例として松下電器産業株式会社の特許２６５３１０２号は手持ちの「小型バイブレーター」に係り、叩打伝達部となる人体当接面がモータの回転軸に平行となるように設けられている点に特徴を有している。
【先行技術文献】
【特許文献】
【０００３】
【特許文献１】特開平０１−３００９５２号（特許２６５３１０２号）公報
【考案の概要】
【考案が解決しようとする課題】
【０００４】  上述したような各種マッサージ器は比較的小型であり、振動力がそれほど大きいものではないため、より大きな振動を得ようとすると、電動モータを大きくしたり複雑な構成を採らなくてはならないと言うような問題がある。装置を大型化せずとも比較的大きな振動が得られ、しかも簡易な構造で製造が容易なハンディータイプのマッサージ器と言うものはこれまでになかった。【０００５】  もしもこのようなマッサージ器であれば比較的安い値段で提供することが可能になる。そこでこの考案の目的は上述したような新しいマッサージ器を提供することにある。
【課題を解決するための手段】
【０００６】  このためこの考案は、筐体と、該筐体内に収められた電動モータと、該電動モータの回転軸に偏心状態で取り付けられた重錘とから成るマッサージ器に於いて、前記回転軸は前記電動モータの両側に突出するように設けられており、この各々に前記重錘が取り付けられていることを特徴とする強振動マッサージ器を提供して上記の課題を解決する。一般的なマッサージ器の電動モータでは、回転軸は一側にのみ突出させているが、この発明では１本の回転軸の両側突出部分の各々に重錘を取り付けて、実質的に２個の重錘を備えている点が重要である。これにより従来に比して大きな振動が得られたのである。【０００７】  次に、請求項１のマッサージ器に付いて、前記筐体は振動側筐体とハンドル側筐体とに分かれており、振動側筐体とハンドル側筐体とは接続部を介して接続されており、前記電動モータは前記振動側筐体内に納められているものとすることが出来る。ハンドル側筐体を手に持つと、これは重錘を有する電動モータが納められた振動側筐体とは接続部を挟んで別筐体であるから、手に伝わる振動を低減することが出来て便利である。なお振動側筐体の全長は、電動モータの両側に重錘を備える構成であることによって幾分か長いものとなっている。このことは筐体を振動側筐体とハンドル側筐体とに分けていないものにあっても同様であり、従来の電動モータの片側にのみ重錘を備えているものとは異なり、上記大きくなった振動が振動側に重心が移ることでより強調されるようになる。また外観的には上述したように振動側が長くなるのでこれをロングヘッドと称呼したい。【０００８】  さらに、前記振動側筐体と前記ハンドル側筐体とが、前記接続部としてのコイルバネで接続されているものとしても良い。コイルバネが振動側筐体からハンドル側筐体に伝わるはずの振動を良く減衰させてくれる。【０００９】  また、前記振動側筐体と前記ハンドル側筐体とが、前記接続部としての蛇腹で接続されているものとしても良い。この蛇腹が振動側筐体からハンドル側筐体に伝わるはずの振動をうまく減衰させてくれる。なおこの蛇腹とコイルバネとを併設するようにしても良い。具体的には蛇腹の内側にコイルバネを納めて、振動側筐体とハンドル側筐体とを接続するようにする。【００１０】  次に、請求項１または請求項２のマッサージ器に付いて、両側の前記重錘は、前記回転軸に対する偏心状態がほぼ同一となるように前記回転軸に取り付けられているものとすることが出来る。このように構成すると、電動モータの回転軸の両側の重錘に働く遠心力が回転軸に平行となる同一の側に対して作用するため、打ち消し合うことなく同期してより大きな振動が得られるのである。【００１１】  次に、請求項１または請求項２のマッサージ器に付いて、両側の前記重錘は、一方が他方よりも重くなるように設けられているものとすることが出来る。この構成により回転軸の両側で重錘の振動に強弱のインバランスを生じさせることが出来る。【００１２】  この他少なくとも電動モータが納められている部位を透視可能に構成することで、電動モータの両側に重錘が取り付けられている状態を外から見せることが出来る。電動モータが納められている部位にソフトカバーを掛けるようにして���良い。またこのマッサージ器を風呂場で用いることが出来るようにしたいのであれば、電動モータに防水が施されたものとしたり、電源電池周りの電気系統に防水処理を施すようにすると良い。
【考案の効果】
【００１３】  この考案のマッサージ器は装置を大型化せずとも比較的大きな振動が得られる点に特長がある。構造はシンプルであるから、製造が容易で安価に提供することが出来る。
【図面の簡単な説明】
【００１４】
【図１】  実施例１を部分断面で表した説明図である。
【図２】  実施例１の駆動部を表した説明図である。
【図３】  実施例１の回路構成をブロック図で表した説明図である。
【図４】  実施例２を表した説明図である。
【図５】  実施例２の接続部を部分断面で表した説明図である。
【図６】  実施例３を表した説明図である。
【考案を実施するための形態】
【００１５】  以下ではこの考案のマッサージ器を図面に基づいて説明するがこの考案はこれ等に限定されるものではなく、この考案の思想の範囲内で工夫される種々変形例もまたこの考案の権利範囲に含まれるものである。
【実施例１】
【００１６】  この実施例のマッサージ器１では、合成樹脂製の筐体１０の一部はハンドル１１と成っており、その表面には滑り止めの性質が付与されている。このハンドル１１の内部は図示しないが電池ボックスとなっており内蔵する電源電池３０はスイッチ３１を経由して後述する電動モータ２に電力を供給し得るように配線されている。また上記ハンドル１１内には制御回路３を収容して電動モータ２の回転スピードの制御などの回転制御を行わせるように構成されている。なお符号２５は制御回路３へ配線するためのリード線であり、電動モータ２の接続端子にハンダ付けされている。【００１７】  上記筐体１０の電動モータ２を収容する部位は図１では部分断面で表わされているが、この電動モータ２周りの構成は図２によって明らかと成る。すなわち電動モータ２は筐体１０内に固定されており、電動モータ２の回転軸２０は電動モータ２の一側にではなくて両側に突出するように設けられており、一方の突出部には重錘２１が、他方の突出部には重錘２２が固定されている。この際重錘２１は軸孔２３を以て重錘２２は軸孔２４を以て回転軸２０に取り付けられるが偏心方向は同じ方向である。このように構成した点がこの実施例のポイントである。【００１８】  上述した電動モータ２と制御回路３と電源電池３０とによる回路構成は図３のブロック図で表されている通りであるが、スイッチ３１が押される回数に応じて、電動モータ２の回転数やリズム回転の種類が変わるように制御回路３が設計されている。符号３２は電源ＯＮ時の間は点灯し続けるようにしたＬＥＤライトである。【００１９】  この実施例のマッサージ器１のスイッチ３１をＯＮにすると電動モータ２の回転軸２０が回転を始めるが、１本の回転軸２０の両側の突出部分に重錘２１，２２が設けられており、実質的に２個の重錘２１，２２を備えているため、従来に比して大きな振動が得られるのである。またこの大きくなった振動は、筐体１０に於いて２個の重錘２１，２２があることにより電動モータ２の方がより重くなることで、より強調されるようになる。なお外観的には上述したように振電動モータ２の側が長くなっている。
【実施例２】
【００２０】  この実施例のマッサージ器４を図４及び図５を用いて説明する。マッサージ器４はその筐体がハンドル側筐体４０と振動側筐体５とに分かれており、両者の間はコイルバネ６０とその周りを覆う蛇腹６とにより接続されている。振動側筐体５は透明な合成樹脂製になる。なおさらに振動側筐体５の上にシリコンカバー５０を被せて身体皮膚への接触具合を柔らかくするようにしても良い。【００２１】  ハンドル側筐体４０の内部は、上述したマッサージ器１と同様で、電池ボックスとなっており、図示しない電源電池はスイッチ３１を経由して後述する電動モータに電力を供給し得るように配線されている。また図示しない制御回路を収容しており、これにより電動モータの回転スピードの制御などの回転制御を行うように設計されている。振動側筐体５の内部には図示しない電動モータが納められている。電動モータの回転軸は電動モータの両側に突出するように設けられており、突出部の各々に重錘が偏心方向が同じ方向となるように固定されている。【００２２】  なお上記ハンドル側筐体４０と振動側筐体５とは、図５で表されているように、コイルバネ６０と蛇腹６とにより接続されており、その内部には電動モータと制御回路とを結ぶリード線２５が通されている。ハンドル側筐体４０は振動側筐体５とは別体であるため、振動側筐体５からハンドル側筐体４０を持つ手に伝わる振動を、コイルバネ６０と蛇腹６のそれぞれが良く減衰させてくれる。この際に上述したように重さのバランスがいくぶんハンドル側筐体４０から振動側筐体５に移っていることも重要である。従来に比してより重くなった振動側筐体５がコイルバネ６０と蛇腹６を介してハンドル側筐体４０に接続されている。なおこの振動側筐体５の構成を以てこのマッサージ器４はロングヘッドタイプであると言うことが出来る。
【実施例３】
【００２３】  この実施例は電動モータ２への重錘２１，２６の取り付けに関するものであって、重錘２１の方が重錘２６よりも重くなるように設けられている点に特徴を有する。この比較的軽い方の重錘２６は、軸孔２７を以て回転軸２０に取り付けられており、その偏心方向は重錘２１の偏心方向と同じ方向である。そして重錘２１の回転軸２０からの距離Ｂの方が重錘２６の回転軸２０からの距離Ｓよりも大きい。【００２４】  重錘２１，２６とのトータル重量は従来よりも重いものになっているが、２個の重錘の重さを変えることで回転軸２０の両側で重錘の振動に強弱のインバランスを生じさせることが出来るようになっている。【００２５】  なお実施例１も実施例２も電源電池３０を内蔵しているが、外付けで電源アダプターを備えるようにしても良い。また充電用の二次電池を備えるようにしても良い。同様に制御回路を外付けのコントローラとして構成することが可能である。
【産業上の利用可能性】
【００２６】  この考案のマッサージ器の形状や素材は任意選択が可能である。身体患部に適する構成を採用すれば良い。またこの考案のマッサージ器の用途は自由であり、例えばマッサージチェアのアタッチメントとして構成したり、これ単独で用いるペット用のマッサージ器として構成することが可能である。あるいは例えば電動歯ブラシへの応用も可能である。
【符号の説明】
【００２７】１    マッサージ器
１０  筐体
１１  ハンドル
２    電動モータ
２０  回転軸
２１  重錘
２２  重錘
２３  軸孔
２４  軸孔
２５  リード線
２６  重錘
２７  軸孔
３    制御回路
３０  電源電池
３１  スイッチ
３２  ＬＥＤライト
４    マッサージ器
４０  ハンドル側筐体
５    振動側筐体
５０  シリコンカバー
６    蛇腹
６０  コイルバネ
【図１】
0003173934.tif 000003
【図２】
0003173934.tif 000004
【図３】
0003173934.tif 000005
【図４】
0003173934.tif 000006
【図５】
0003173934.tif 000007
【図６】
0003173934.tif 000008